(57)【特許請求の範囲】
【請求項１】
尿検体の有形成分を分析するための分析装置であって、
検体の画像を取得するための画像取得手段と、
前記画像取得手段によって取得された第１の検体の画像が予め記憶された画像パターンを含むか否かを判断することによって、前記第１の検体の画像において１種類以上の有形成分のそれぞれを特定するように構成された情報処理手段と、
２以上の過去画像をそれぞれの画像において特定された有形成分の種類とともに記憶するための記憶手段とを備え、
前記２以上の過去画像のそれぞれは、検体の画像であって、前記第１の検体の画像が前記画像取得手段によって取得されるより前に取得された画像であり、
前記情報処理手段は、前記２以上の過去画像から、前記第１の検体の画像において特定された種類の有形成分を含む画像を選択し、選択された画像を前記第１の検体の画像とともに表示するように構成されている、分析装置。
【請求項２】
前記第１の検体の画像において特定された有形成分の種類から１以上の種類の指定を受け付けるための入力手段をさらに備え、
前記情報処理手段は、前記２以上の過去画像から、さらに指定された前記種類の有形成分を含む画像を選択し、選択された画像を表示するように構成されている、請求項１に記載の分析装置。
【請求項３】
前記記憶手段は、前記２以上の過去画像のそれぞれを、各検体を提供した者と関連付けて記憶し、
前記第１の検体の画像が対応する検体を提供した者を特定する情報を取得するための患者情報取得手段をさらに備え、
前記情報処理手段は、前記２以上の過去画像から、前記患者情報取得手段が取得した情報によって特定される者に関連付けられた画像をさらに選択し、選択された画像を表示するように構成されている、請求項１または請求項２のいずれか１項に記載の分析装置。
【請求項４】
前記記憶手段は、前記２以上の過去画像のそれぞれを、各検体を提供した者の病歴と関連付けて記憶し、
前記第１の検体の画像が対応する検体を提供した者の病歴を特定する情報を取得するための病歴取得手段をさらに備え、
前記情報処理手段は、前記２以上の過去画像から、前記病歴取得手段が取得した情報によって特定される病歴と少なくとも一部が一致する病歴に関連付けられた画像をさらに選択し、選択された画像を表示するように構成されている、請求項１〜請求項３のいずれか１項に記載の分析装置。
【請求項５】
前記情報処理手段は、選択した画像のうち予め定められた枚数を表示するように構成されている、請求項１〜請求項４のいずれか１項に記載の分析装置。
【請求項６】
前記記憶手段は、少なくとも１種類の有形成分に関連付けて他の有形成分の種類を記憶し、
前記情報処理手段は、前記第１の検体の画像において特定された有形成分の種類に関連付けられた、他の種類の有形成分に関する情報を出力するように構成されている、請求項１〜請求項５のいずれか１項に記載の分析装置。
【請求項７】
前記記憶手段は、少なくとも１種類の有形成分に関連付けて他の装置における尿検体についての測定項目を特定する情報を記憶し、
前記情報処理手段は、前記第１の検体の画像において特定された有形成分の種類に関連付けられた前記他の装置における測定項目に関する情報を出力するように構成されている、請求項１〜請求項６のいずれか１項に記載の分析装置。
【請求項８】
前記他の装置における測定項目は、尿定性分析についての測定項目である、請求項７に記載の分析装置。
【請求項９】
尿検体の有形成分を分析するための分析装置によって実行される分析方法であって、
前記分析方法は、
第１の検体の画像を取得するステップと、
前記第１の検体の画像が予め記憶された画像パターンを含むか否かを判断することによって、前記第１の検体の画像において１種類以上の有形成分のそれぞれを特定するステップと、を含み、
前記分析装置は、２以上の過去画像をそれぞれの画像において特定された有形成分の種類とともに記憶するための記憶手段を備え、
前記２以上の過去画像のそれぞれは、検体の画像であって、前記第１の検体の画像が取得されるより前に取得された画像であり、
前記分析方法は、
前記記憶手段に記憶されている前記２以上の過去画像から、前記第１の検体の画像において特定された種類の有形成分を含む画像を選択するステップと、
前記選択するステップにおいて選択された画像を、前記第１の検体の画像とともに表示するステップとを含む、分析方法。
【発明の詳細な説明】
【技術分野】
【０００１】
本開示は、分析装置、および、分析方法に関し、特に、尿検体の有形成分を分析するための分析装置、および、分析方法に関する。
【背景技術】
【０００２】
従来、尿検査において、検体の成分を分析する装置が提案されている。たとえば、特開平１０−１８５８０３号公報（特許文献１）は、検体の画像を自動的に撮影し、当該画像を用いて、検体中の有形成分を分析する装置を開示している。
【先行技術文献】
【特許文献】
【０００３】
【特許文献１】特開平１０−１８５８０３号公報
【発明の概要】
【発明が解決しようとする課題】
【０００４】
しかしながら、従来の分析装置では、有形成分ごとに画一的な基準に基づいて判断がなされるだけで、当該画一的な基準によっては検査結果を確定できない検体は、再検査の対象とされた。再検査としては、用手検査が行われることが多い。用手検査は、時間を要するだけでなく検査員の労力も要する。このことから、尿検査では、極力用手検査の対象とされる検体の数を減らすことが求められている。
【０００５】
本開示は、係る実情に鑑み考え出されたものであり、その目的は、再検査の対象となる検体の数を低減することである。
【課題を解決するための手段】
【０００６】
本開示のある局面に従うと、尿検体の有形成分を分析するための分析装置が提供される。分析装置は、検体の画像を取得するための画像取得手段と、画像取得手段によって取得された画像において１種類以上の有形成分のそれぞれを特定するように構成された情報処理手段と、過去の検体の２以上の画像をそれぞれの画像において特定された有形成分の種類とともに記憶するための記憶手段とを備える。情報処理手段は、記憶手段に記憶されている過去の検体の２以上の画像から、画像取得手段によって取得された画像において特定された種類の有形成分を含む画像を選択し、選択された画像を表示するように構成されている。
【０００７】
好ましくは、分析装置は、画像取得手段によって取得された画像において特定された有形成分の種類から１以上の種類の指定を受け付けるための入力手段をさらに備える。情報処理手段は、記憶手段に記憶されている過去の検体の２以上の画像から、さらに指定された種類の有形成分を含む画像を選択し、選択された画像を表示するように構成されている。
【０００８】
好ましくは、記憶手段は、過去の検体の２以上の画像のそれぞれを、各検体を提供した者と関連付けて記憶する。画像取得手段によって取得された画像が対応する検体を提供した者を特定する情報を取得するための取得手段をさらに備える。情報処理手段は、記憶手段に記憶されている過去の検体の２以上の画像から、情報取得手段が取得した情報によって特定される者に関連付けられた画像をさらに選択し、選択された画像を表示するように構成されている。
【０００９】
好ましくは、記憶手段は、過去の検体の２以上の画像のそれぞれを、各検体を提供した者の病歴と関連付けて記憶する。分析装置は、画像取得手段によって取得された画像が対応する検体を提供した者の病歴を特定する情報を取得するための病歴取得手段をさらに備える。情報処理手段は、記憶手段に記憶されている過去の検体の２以上の画像から、病歴取得手段が取得した情報によって特定される病歴と少なくとも一部が一致する病歴に関連付けられた画像をさらに選択し、選択された画像を表示するように構成されている。
【００１０】
好ましくは、情報処理手段は、選択した画像のうち予め定められた枚数を表示するように構成されている。
【００１１】
好ましくは、記憶手段は、少なくとも１種類の有形成分に関連付けて他の有形成分の種類を記憶する。
【００１２】
好ましくは、情報処理手段は、画像取得手段によって取得された画像において特定された有形成分の種類に関連付けられた、他の種類の有形成分に関する情報を出力するように構成されている。
【００１３】
好ましくは、記憶手段は、少なくとも１種類の有形成分に関連付けて他の装置における尿検体についての測定項目を特定する情報を記憶する。情報処理手段は、画像取得手段によって取得された画像において特定された有形成分の種類に関連付けられた他の装置における測定項目に関する情報を出力するように構成されている。
【００１４】
好ましくは、他の装置における測定項目は、尿定性分析についての測定項目である。
本開示の他の局面に従うと、尿検体の有形成分を分析するための分析装置によって実行される分析方法が提供される。分析装置は、過去の検体の２以上の画像をそれぞれの画像において特定された有形成分の種類とともに記憶するための記憶手段を備える。分析方法は、検体の画像を取得するステップと、取得された画像において１種類以上の有形成分のそれぞれを特定するステップと、記憶手段に記憶されている過去の検体の２以上の画像から、取得された画像において特定された種類の有形成分を含む画像を選択するステップと、選択するステップにおいて選択された画像を表示するステップとを含む。
【発明の効果】
【００１５】
本開示のある局面によれば、検体において検出された有形成分と同じ成分を含むと判断された過去の検体の画像が表示される。これにより、分析装置の使用者は、今回の検体と近い性質を持つと考えられる検体の画像に基づいて、今回の検体に対する再検査の要否を判断できる。当該判断の結果、再検査が不要であると判断される場合があり得る。したがって、再検査の対象となる検体の数が低減され得る。
【図面の簡単な説明】
【００１６】
【図１】有形成分分析の結果として表示される画面の具体例を示す図である。
【図２】有形成分分析の結果として表示される画面の他の具体例を示す図である。
【図３】有形成分分析の結果として表示される画面のさらに他の具体例を示す図である。
【図４】有形成分分析の結果として表示される画面のさらに他の具体例を示す図である。
【図５】有形成分分析の結果として表示される画面のさらに他の具体例を示す図である。
【図６】第１の実施の形態の分析システムの全体構成を示す図である。
【図７】第１の実施の形態の分析システムのハードウェア構成を説明するための図である。
【図８】第１の実施の形態の分析システムにおいて利用される情報の一例を示す図である。
【図９】検体の有形成分分析において画像を保存するために実行される処理のフローチャートである。
【図１０】検体の有形成分分析において得られた画像を表示するために実行される処理のフローチャートである。
【図１１】有形成分分析の結果として表示される画面のさらに他の例を示す図である。
【図１２】有形成分分析の結果として表示される画面のさらに他の例を示す図である。
【図１３】第２の実施の形態において、有形成分の画像を表示するために実行される処理の一例のフローチャートである。
【図１４】図１３の処理によって表示される画面の一例を示す図である。
【図１５】第３の実施の形態の分析システムの全体構成を示す図である。
【図１６】第３の実施の形態の分析システムのハードウェア構成を説明するための図である。
【図１７】第３の実施の形態において、有形成分の画像を表示するために実行される処理の一例のフローチャートである。
【図１８】図１７の処理によって表示される画面の一例を示す図である。
【発明を実施するための形態】
【００１７】
以下に、図面を参照しつつ、尿検体（以下、単に「検体」ともいう）の有形成分の分析装置を含む分析システムの実施の形態について説明する。以下の説明では、同一の部品および構成要素には同一の符号が付され、それらの名称および機能は同じである。したがって、これらの説明は繰り返されない。
【００１８】
［第１の実施の形態］
＜１．概要＞
第１の実施の形態の分析システムを構成する分析装置は、検体の画像を撮影し、当該画像を用いて、検体の有形成分分析を行なう。分析装置は、検体の画像を表示し、さらに、過去の分析において撮影された検体の画像を表示する。
【００１９】
（１）患者本人の検査履歴の表示
図１は、有形成分分析の結果として表示される画面の具体例を示す図である。図１に示された画面９００は、表示欄９０１と表示欄９０２とを表示する。
【００２０】
表示欄９０１は、検体を撮影することによって得られた１枚以上の画像を表示する。図１に示された例では、表示欄９０１には２枚の画像が表示されている。本実施の形態の分析装置において取得された画像は、当該画像において検出された有形成分の種類にタグ付けされている。表示欄９０１の二枚の画像のうち左側の画像は、成分「白血球」にタグ付けされている。右側の画像は、成分「上皮細胞」にタグ付けされている。表示欄９０１は、各画像がタグ付けされている有形成分の種類を表わす文字列とともに、各画像を表示する。
【００２１】
表示欄９０２は、有形成分分析の対象となった者（以下、「患者」ともいう）を特定するＩＤ（患者ＩＤ）と、当該患者の最新の画像撮影日（最新撮影日）とを表示する。図１の例では、患者ＩＤは、「０００１」である。最新撮影日は、２０１５年１２月３日である。
【００２２】
表示欄９０２は、さらに、５種類の有形成分（赤血球、白血球、上皮細胞、円柱、および、細菌）のそれぞれの分析結果を表示する。たとえば、当該分析結果において、白血球の結果は「１−４」（個／視野）である。本実施の形態の分析装置において分析の対象となる有形成分の種類は、図１に示された種類に限定されず、これらのすべてを含んでいる必要はなく、また、別の種類を含んでいても良い。
【００２３】
表示欄９０２は、検体において検出された有形成分のそれぞれを指定するための１つ以上のボタンを表示する。図１の例では、検体の尿から検出された有形成分は、白血球および上皮細胞である。これに対応して、表示欄９０２は、「白血球」ボタンと、「上皮細胞」ボタンとを表示する。
【００２４】
表示欄９０２は、さらに、「本人履歴」ボタン、および、「病歴」ボタンを表示する。「本人履歴」ボタンは、患者の過去の検査において取得された画像を表示するためのボタンである。「病歴」ボタンは、有形成分分析の対象の患者と同じ病歴を持つ他の者の検体の画像を表示するためのボタンである。
【００２５】
図１の画面９００において「本人履歴」ボタンが操作されると、分析装置は、図２の画面９１０を表示する。
【００２６】
画面９１０の表示欄９０１は、３回（２０１５年１２月３日、２０１５年６月１日、および、２０１４年１２月４日）の検査のそれぞれにおいて撮影された画像を、検査の回数ごとに、表示する。
【００２７】
画面９１０の表示欄９０２は、「本人履歴」ボタンの表示態様を図１から変更することによって、画面９１０が、「本人履歴」ボタンを操作されたことによって表示された画面であることを示す。
【００２８】
（２）有形成分にタグ付けされた画像の表示
分析装置は、表示される画像がタグ付けされる有形成分の種類を、指定された種類に限定することができる。図３は、図２の画面９１０において、「白血球」ボタンが操作されたときに表示される、画面９２０を示す。
【００２９】
図２の例において、「白血球」ボタンは、有形成分「白血球」に対応する。これにより、画面９２０は、図２の画面９１０の表示欄９０１に表示されていた画像のうち、有形成分「白血球」が検出された画像を表示する。
【００３０】
図３の画面９２０の表示欄９０２は、「本人履歴」ボタンおよび「白血球」ボタンの表示態様を図１から変更することによって、画面９２０が、「本人履歴」ボタンおよび「白血球」ボタンを操作されたことによって表示された画面であることを示す。
【００３１】
（３）患者の病歴に関連する画像の表示
分析装置は、有形成分分析の対象の患者の検体について撮影された画像を、当該患者と同じ病歴を持つ者の検体について撮影された画像とともに表示することができる。図４は、図１の画面９００において、「病歴」ボタンが操作されたときに表示される、画面９３０を示す。
【００３２】
図１の例において、「病歴」ボタンは、病歴「胃がん」に対応する。これにより、画面９３０の表示欄９０１は、検査対象の患者の画像に加えて、病歴「胃がん」にタグ付けされた別の患者の検体について撮影された画像を表示する。
【００３３】
画面９３０は、表示欄９０１の上部に、検査対象の患者の画像を表示し、表示欄９０１の下部に、患者ＩＤ「０００２」の患者の検体について撮影された画像を表示する。患者ＩＤ「０００２」で特定される患者は、病歴「胃がん」にタグ付けされている。患者ＩＤ「０００２」の画像は、２０１５年１１月２日に撮影された３枚の画像と、２０１５年７月３１日に撮影された２枚の画像と、２０１５年４月２５日に撮影された２枚の画像とを含む。
【００３４】
図４の画面９３０の表示欄９０２は、「病歴」ボタンの表示態様を図１から変更することによって、画面９３０が、「病歴」ボタンを操作されたことによって表示された画面であることを示す。
【００３５】
分析装置は、さらに、表示される画像がタグ付けされる有形成分の種類を、指定された種類に限定することができる。図５は、図４の画面９３０において「白血球」ボタンが操作されたときに表示される、画面９４０を示す。画面９４０は、図４の画面９３０の表示欄９０１に表示されていた、患者ＩＤ「０００１」および患者ＩＤ「０００２」の画像のうち、有形成分「白血球」が検出された画像を表示する。
【００３６】
図５の画面９４０の表示欄９０２は、「本人履歴」ボタンおよび「白血球」ボタンの表示態様を図１から変更することによって、画面９４０が、「本人履歴」ボタンおよび「白血球」ボタンを操作されたことによって表示された画面であることを示す。
【００３７】
＜２．分析システムの構成＞
図６は、第１の実施の形態の分析システムの全体構成を示す図である。
【００３８】
図６に示されるように、分析システム１は、分析装置２０と、情報処理装置４０とを含む。分析装置２０と情報処理装置４０とは、通信可能である。分析装置２０は、有形成分分析装置の一例であり、有形成分の分析結果を情報処理装置４０へ出力する。情報処理装置４０は、分析装置２０から出力された分析結果を表示する。
【００３９】
分析装置２０は、本体２０Ａと、搬送部２０Ｂとを含む。本体２０Ａは、後述する制御部２１０、試料調製部２２２、等を収容する。
【００４０】
搬送部２０Ｂは、検体を収容する容器（スピッツ）を搬送する。より具体的には、分析システム１において、各検体は、容器４に収容される。ラック７は、１本以上の容器４を収容する。搬送部２０Ｂは、溝２５０を含む。搬送部２０Ｂでは、１本以上の容器４が、ラック７に収容された状態で搬送される。
【００４１】
本体２０Ａには、バーコードリーダ２２４が設けられている。各容器４には、各検体を識別するためのバーコードが付されている。分析装置２０は、容器４のそれぞれのバーコードをバーコードリーダ２２４で読み取ることにより、検査対象の検体のそれぞれを識別する。
【００４２】
図６を参照して説明された容器４の搬送態様は、単なる一例である。分析装置２０において、容器４は、ラック７に収容されることなく単独で搬送されてもよい。
【００４３】
＜３．ハードウェア構成＞
図７は、第１の実施の形態の分析システム１のハードウェア構成を説明するための図である。
【００４４】
まず、分析装置２０のハードウェア構成を説明する。
分析装置２０は、制御部２１０と、通信部２２１と、試料調製部２２２と、撮影部２２３と、バーコードリーダ２２４を含む。制御部２１０は、ＣＰＵ（Central  Processing  Unit）２１１と記憶部２１２とを有する。ＣＰＵ２１１は、記憶部２１２に記憶されているコンピュータプログラムを実行すると共に、分析装置２０の各部を制御する。記憶部２１２は、ＲＯＭ、ＲＡＭ、ハードディスク等の記憶装置を含む。以下の説明において、記憶部２１２は、情報の記憶場所の一例として説明される。つまり、「記憶部２１２に記憶される」情報は、ＣＰＵ２１１等の、本明細書において処理を実行するプロセッサがアクセス可能な記憶装置に格納されていれば、必ずしも記憶部２１２に記憶されている必要はない。
【００４５】
通信部２２１は、制御部２１０からのデータを他の機器に送信し、他の機器からの情報を制御部２１０に入力する。通信部２２１は、たとえばネットワークインタフェースカードによって実現される。
【００４６】
試料調製部２２２は、容器４内の検体と測定に必要な試薬とを混合攪拌することにより、分析に必要な試料を調製する。
【００４７】
撮影部２２３は、試料調製部２２２によって調製された試料の画像を撮影する。撮影部２２３は、自動ピント合わせの機構を有する。これにより、試料調製部２２２で調整された試料は、撮影部２２３によって自動的に撮影される。撮影部２２３は、撮影された画像を、制御部２１０へ出力する。
【００４８】
バーコードリーダ２２４は、容器４に付されたバーコードを読み、読み出した情報を制御部２１０へ出力する。
【００４９】
ＣＰＵ２１１は、撮影された画像を用いて、有形成分分析を実行する。有形成分分析において、たとえば、ＣＰＵ２１１は、検体の画像において予め記憶された有形成分の画像パターンが含まれるか否かを判断する。その後、ＣＰＵ２１１は、検体の画像が有形成分の画像パターンを含むと判断すると、画像における当該有形成分の個数を計数し、当該個数を出力する。撮影部２２３は、１つの検体に対して、複数枚の画像を撮影し、制御部２１０へ出力してもよい。ＣＰＵ２１１は、１つの検体に対する複数の画像のうち、有形成分の画像パターンを含む画像を、検体ごとに、当該有形成分に関連付けて、記憶部２１２に記憶してもよい。
【００５０】
次に、情報処理装置４０のハードウェア構成を説明する。
情報処理装置４０は、制御部４１０と、通信部４２０とを含む。制御部４１０は、たとえば汎用のコンピュータによって実現され、ＣＰＵ４１１と、記憶部４１２と、キーボード４１３と、マウス４１４と、モニタ４１５とを有する。ＣＰＵ４１１は、通信部４２０を介して、分析装置２０等の外部の機器と通信する。通信部４２０は、たとえばネットワークインタフェースカードからなる。
【００５１】
ＣＰＵ４１１は、記憶部４１２に記憶されているコンピュータプログラムを実行し、キーボード４１３およびマウス４１４から情報の入力を受け付け、モニタ４１５に情報を出力する。ＣＰＵ４１１は、分析装置２０から入力されたデータを、モニタ４１５に表示することができる。
【００５２】
＜４．管理テーブル＞
図８は、第１の実施の形態の分析システムにおいて利用される情報の一例を示す図である。図８の管理テーブルは、分析システムにおいて撮影された１枚以上の画像に関連付けられた種々のデータを表わす。当該管理テーブルは、たとえば、分析装置２０の記憶部２１２（図７参照）に格納される。以下、管理テーブルの内容を説明する。
【００５３】
図８に示された管理テーブルは、５つの項目（患者ＩＤ、病歴、撮影日、成分、および、画像リンク）のデータを有する。患者ＩＤは、各患者に割り当てられたＩＤである。病歴は、各患者について登録されている病歴を示す。撮影日は、患者の検体の画像が撮影された日を示す。成分は、患者の検体の画像において検出された有形成分の種類を示す。画像リンクは、検体の画像のそれぞれの格納場所を示す。図８に示された例では、各画像は、１つ以上の有形成分にタグ付けされている。
【００５４】
画像には有形成分がタグ付けされない場合もあり得る。たとえば、撮影された画像において有形成分が検出されなかった場合、当該画像には有形成分はタグ付けされない。
【００５５】
１枚の画像に、２以上の有形成分がタグ付けされる場合もあり得る。たとえば、「白血球」および「上皮細胞」が検出された画像は、「白血球」および「上皮細胞」の双方がタグ付けされる。
【００５６】
図８の例では、患者ＩＤ「０００１」は、病歴「胃がん」を有し、３つの撮影日（２０１５年１２月３日、２０１５年６月１日、および、２０１４年１２月５日）のそれぞれに撮影された画像の画像リンクに関連付けられている。患者ＩＤ「０００２」は、病歴「胃がん」および「膀胱がん」を有し、３つの撮影日（２０１５年１１月２日、２０１５年７月３１日、および、２０１５年４月２５日）のそれぞれに撮影された画像の画像リンクに関連付けられている。患者ＩＤ「０００３」は、病歴「膀胱がん」を有し、３つの撮影日（２０１５年１０月３０日、２０１５年４月２０日、および、２０１４年１０月２０日）のそれぞれに撮影された画像の画像リンクに関連付けられている。
【００５７】
＜５．画像保存用の処理の流れ＞
図９は、検体の有形成分分析において画像を保存するために実行される処理のフローチャートである。図９の処理は、分析装置２０のＣＰＵ２１１によって実行される。以下、図９に示された処理の内容を説明する。
【００５８】
ステップＳ１００で、ＣＰＵ２１１は、検体の基本データを取得する。検体の基本データは、たとえば、患者のＩＤ（患者ＩＤ）および検査日を含む。基本データは、たとえば情報処理装置４０に対して、キーボード４１３および／またはマウス４１４が用いられることによって入力される。情報処理装置４０のＣＰＵ４１１は、入力された基本データを、分析装置２０へ送信する。ＣＰＵ２１１は、情報処理装置４０から入力されることにより、基本データを取得する。その後、制御はステップＳ１１０へ進む。
【００５９】
ステップＳ１１０で、ＣＰＵ２１１は、検体の画像を撮影する。１の検体について、２枚以上の画像が撮影されてもよい。その後、制御はステップＳ１２０へ進む。
【００６０】
ステップＳ１２０で、ＣＰＵ２１１は、撮影された画像のそれぞれにおいて、有形成分を検出する。その後、制御はステップＳ１３０へ進む。
【００６１】
ステップＳ１３０で、ＣＰＵ２１１は、ステップＳ１２０での、画像における有形成分の検出結果を用いて、有形成分分析の結果を生成し、当該結果を保存する。有形成分分析の結果は、たとえば、患者ＩＤおよび検査日に関連付けられて、記憶部２１２に格納される。その後、制御はステップＳ１４０へ進む。
【００６２】
ステップＳ１４０で、ＣＰＵ２１１は、各画像に、当該画像において検出された有形成分をタグ付けする。その後、制御はステップＳ１５０へ進む。
【００６３】
ステップＳ１５０で、ＣＰＵ２１１は、撮影された各画像を非一時的に保存する。保存場所は、たとえば記憶部２１２である。その後、制御はステップＳ１６０へ進む。
【００６４】
ステップＳ１６０で、ＣＰＵ２１１は、ステップＳ１５０で保存された画像のデータを図８に示されたような管理テーブルに登録する。登録される「患者ＩＤ」および「撮影日」のそれぞれは、たとえば、ステップＳ１００で取得された患者ＩＤおよび検査日のそれぞれである。「病歴」は、たとえば図８に示された処理とは別の処理において、管理テーブルに登録される。「成分」は、たとえばステップＳ１２０で検出される。「画像リンク」は、たとえば、ステップＳ１５０における画像の保存場所である。
【００６５】
＜６．画像出力用の処理の流れ＞
図１０は、検体の有形成分分析において得られた画像を表示するために実行される処理のフローチャートである。図１０の処理は、分析装置２０のＣＰＵ２１１によって実行される。以下、図１０に示された処理の内容を説明する。
【００６６】
ステップＳ２００で、ＣＰＵ２１１は、検体の基本データの入力を受け付ける。基本データは、たとえば患者ＩＤおよび検査日である。ＣＰＵ２１１は、たとえば、バーコードリーダ２２４で検体のバーコードを取得し、当該バーコードに関連付けられた患者ＩＤおよび検査日を取得することにより、基本データの入力を受け付ける。検体のバーコードと基本データ（たとえば、患者ＩＤおよび検査日）とを関連付ける情報は、情報処理装置４０に登録されている。その後、制御はステップＳ２１０へ進む。
【００６７】
ステップＳ２１０で、ＣＰＵ２１１は、ステップＳ２００に入力された基本データに対応する分析結果を、情報処理装置４０のモニタ４１５に表示する。すなわち、ＣＰＵ２１１は、ステップＳ２００で入力された、患者ＩＤおよび検査日に関連付けられた有形成分分析の結果を取得し、当該結果を情報処理装置４０へ送信する。情報処理装置４０のＣＰＵ４１１は、分析装置２０から有形成分分析の結果を取得すると、当該結果をモニタ４１５に表示する。その後、制御はステップＳ２２０へ進む。
【００６８】
ステップＳ２２０で、ＣＰＵ２１１は、ステップＳ２１０の分析結果に対応する画像を、情報処理装置４０のモニタ４１５に表示する。すなわち、ＣＰＵ２１１は、管理テーブル（図８）において、ステップＳ２００で入力された患者ＩＤおよび検査日に関連付けられた画像リンクを情報処理装置４０へ送信する。これに応じて、情報処理装置４０のＣＰＵ４１１は、分析装置２０から送信された画像リンクで特定される画像を、モニタ４１５に表示する。ステップＳ２１０およびステップＳ２２０により、情報処理装置４０のモニタ４１５には、図１の画面９００が表示される。その後、制御はステップＳ２３０へ進む。
【００６９】
ステップＳ２１０の制御とステップＳ２２０の制御は、並行して実行されてもよい。ステップＳ２１０の制御は、ステップＳ２２０の制御の後に実行されてもよい。
【００７０】
ステップＳ２３０で、ＣＰＵ２１１は、表示メニューとして「本人履歴」を指定されたか否かを判断する。「本人履歴」は、たとえば、図１の表示欄９０２の「本人履歴」ボタンが操作されることによって指定される。ＣＰＵ２１１は、「本人履歴」が指定されたと判断すると（ステップＳ２３０でＹＥＳ）、ステップＳ２４０へ制御を進め、「本人履歴」が指定されていないと判断すると（ステップＳ２３０でＮＯ）、ステップＳ２５０へ制御を進める。
【００７１】
ステップＳ２４０で、ＣＰＵ２１１は、ステップＳ２００で入力された患者ＩＤにタグ付けされた画像リンクがリンクする画像を表示する。その後、制御はステップＳ２５０へ進む。
【００７２】
図２の画面９１０は、ステップＳ２４０の制御によって表示される画面の一例である。より具体的には、たとえば、図１の画面９００に対して「本人履歴」ボタンが操作されると、情報処理装置４０のＣＰＵ４１１は、「本人履歴」ボタンが操作されたことを分析装置２０へ通知する。これに応じて、分析装置２０のＣＰＵ２１１は、管理テーブル（図８）においてステップＳ２００で入力された患者ＩＤにタグ付けされた画像リンクを、検査日（撮影日）ごとに情報処理装置４０へ送信する。これに応じて、ＣＰＵ４１１は、分析装置２０から受信した画像リンクによって特定される画像を、検査日（撮影日）ごとに、モニタ４１５に表示する。この場合、図２の画面９１０の表示欄９０１に表示される各画像は、ステップＳ２００で入力された患者ＩＤにタグ付けされた画像リンクのそれぞれによって特定される画像である。
【００７３】
ステップＳ２５０で、ＣＰＵ２１１は、表示メニューとして有形成分が指定されたか否かを判断する。有形成分は、たとえば図１の表示欄９０２の各有形成分に対応するボタンが操作されることによって指定される。ＣＰＵ２１１は、有形成分が指定されたと判断すると（ステップＳ２５０でＹＥＳ）、ステップＳ２６０へ制御を進め、有形成分が指定されていないと判断すると（ステップＳ２５０でＮＯ）、ステップＳ２７０へ制御を進める。
【００７４】
ステップＳ２６０で、ＣＰＵ２１１は、管理テーブル（図８）において、ステップＳ２５０で指定された有形成分にタグ付けされた画像を表示する。その後、制御はステップＳ２３０へ戻る。
【００７５】
図３の画面９２０は、ステップＳ２６０の制御によって表示される画面の一例である。より具体的には、たとえば、図２の画面９１０に対して「白血球」ボタンが操作されると、情報処理装置４０のＣＰＵ４１１は、「白血球」ボタンが操作されたことを分析装置２０へ通知する。これに応じて、分析装置２０のＣＰＵ２１１は、図２の画面９１０の表示欄９０１に表示されている画像のうち、有形成分「白血球」にタグ付けされている画像のみを表示する指示を、情報処理装置４０へ送信する。これに応じて、情報処理装置４０のＣＰＵ４１１は、表示欄９０１を、有形成分「白血球」にタグ付けされている画像のみを表示するように、更新する。これにより、モニタ４１５の表示は、図２の画面９１０から図３の画面９２０へ切り替えられる。
【００７６】
図５の画面９４０は、ステップＳ２６０の制御によって表示される画面の他の例である。より具体的には、たとえば、図４の画面９３０に対して「白血球」ボタンが操作されると、情報処理装置４０のＣＰＵ４１１は、「白血球」ボタンが操作されたことを分析装置２０へ通知する。これに応じて、分析装置２０のＣＰＵ２１１は、図４の画面９１０の表示欄９０１に表示されている画像のうち、有形成分「白血球」にタグ付けされている画像のみを表示する指示を、情報処理装置４０へ送信する。これに応じて、情報処理装置４０のＣＰＵ４１１は、表示欄９０１を、有形成分「白血球」にタグ付けされている画像のみを表示するように、更新する。これにより、モニタ４１５の表示は、図４の画面９３０から図５の画面９４０へ切り替えられる。
【００７７】
ステップＳ２７０で、ＣＰＵ２１１は、表示メニューとして「病歴」が指定されたか否かを判断する。「病歴」は、たとえば図１の表示欄９０２の「病歴」ボタンが操作されることによって指定される。ＣＰＵ２１１は、「病歴」が指定されたと判断すると（ステップＳ２７０でＹＥＳ）、ステップＳ２８０へ制御を進め、「病歴」が指定されていないと判断すると（ステップＳ２７０でＮＯ）、ステップＳ２３０へ制御を戻す。
【００７８】
ステップＳ２８０で、ＣＰＵ２１１は、管理テーブル（図８）において、ステップＳ２００で入力された患者ＩＤがタグ付けされている病歴と同じ病歴を有する患者ＩＤを特定し、特定された患者ＩＤにタグ付けされている画像を表示する。その後、制御はステップＳ２３０へ戻る。
【００７９】
図４の画面９３０は、ステップＳ２８０の制御によって表示される画面の一例である。より具体的には、たとえば、図１の画面９００に対して「病歴」ボタンが操作されると、情報処理装置４０のＣＰＵ４１１は、「病歴」ボタンが操作されたことを分析装置２０へ通知する。これに応じて、分析装置２０のＣＰＵ２１１は、管理データベース（図８）において、患者ＩＤ「０００１」にタグ付けされている病歴と同じ病歴にタグ付けされた患者ＩＤを特定する。図８の例において特定されるのは、患者ＩＤ「０００２」である。その後、ＣＰＵ２１１は、情報処理装置４０に、当該患者ＩＤ「０００２」にタグ付けされた画像リンクで特定される画像を表示することを指示する。当該指示に応じて、情報処理装置４０のＣＰＵ４１１は、画面９００に、患者ＩＤ「０００２」にタグ付けされた画像を追加する。これにより、モニタ４１５には、図４の画面９３０が表示される。
【００８０】
以上説明された図１０の処理において、ステップＳ２３０，ステップＳ２５０，ステップＳ２７０の制御の順序は、図１０に示されたものに限定されない。これらの３つの制御の実行の順序は、任意に入れ替えられることが可能である。
【００８１】
第１の実施の形態では、分析装置２０は、有形成分分析において撮影された画像を、患者ＩＤと、当該画像において検出された有形成分とにタグ付けする。
【００８２】
分析装置２０は、患者の有形成分分析において撮影された画像を表示する（図１）。
分析装置２０は、表示メニューとして履歴を指定されると、画面に、当該患者の過去の有形成分分析において撮影された画像を追加する（図２）。
【００８３】
分析装置２０は、表示メニューとして有形成分の指定を受付けると、画面に表示される画像を、指定された有形成分にタグ付けされた画像に限定する（図３，図５）。
【００８４】
画像は、患者の病歴にタグ付けされていてもよい。分析装置２０は、表示メニューとして病歴を指定されると、画面に、分析対象の患者の病歴と同じ病歴にタグ付けされている他の患者の検体について撮影された画像を追加する（図４）。分析対象の患者の病歴が、２以上の病名を含む場合、「同じ病歴」は、病歴に含まれる病名のすべてが一致していることを意味する場合もあるし、病歴に含まれる病名の少なくとも一部が一致していることを意味する場合もある。
【００８５】
以上説明された第１の実施の形態では、画像は、関連付けられた有形成分の名称と共に表示された。なお、画像は、必ずしも、当該画像が関連付けられている有形成分の名称とともに表示される必要はない。
【００８６】
１枚の画像に多数の有形成分が混在し得る場合、混在している有形成分の名称が表示欄９０２に表示されてもよい。表示欄９０２に表示された名称が選択されると、表示された画像において選択された名称の有形成分に対応する部分にマークが付されてもよい。
【００８７】
たとえば、図１１の画面９９０は、表示欄９０１と表示欄９０２とを含む。表示欄９０１は、検体の画像を表示する。図１１の画面９９０において、表示欄９０２内の「白血球」ボタンが操作されたときに表示される画面が、図１２に示される。
【００８８】
図１２の画面９９１では、表示欄９０２内の「白血球」ボタンが強調されて表示されている。図１２の画面９９１では、さらに、表示欄９０１内の画像において、白血球に対応する部分にマーク９０１Ａが表示される。
【００８９】
［第２の実施の形態］
＜１．概要＞
第２の実施の形態の分析装置２０は、少なくとも１種類の有形成分を他の有形成分と関連付ける情報を有する。或る有形成分の分析結果が予め定められた結果となった場合、分析装置２０は、有形成分分析において撮影された画面を表示し、さらに、撮影された画像において当該有形成分に関連付けられた他の有形成分を含む情報を表示する。
【００９０】
＜２．画像出力用の処理の流れ＞
図１３は、第２の実施の形態のＣＰＵ２１１が有形成分の画像を表示するために実行する処理の一例のフローチャートである。図１３に示された処理は、図１０に示された処理と比較して、ステップＳ２１０の後に、ステップＳ２１２の制御をさらに含む。
【００９１】
ステップＳ２１０の制御は、ステップＳ２２０の制御と並行して実行されてもよいし、ステップＳ２２０の制御の後に実行されてもよい。
【００９２】
ここで、ステップＳ２１２の制御は、ステップＳ２１０の制御またはステップＳ２２０の制御と並行して実行されてもよいし、ステップＳ２１０の制御とステップＳ２２０の制御との間に実行されてもよい。
【００９３】
ステップＳ２１０で、有形成分分析の結果を表示した後、ＣＰＵ２１１は、ステップＳ２１２で、有形成分分析において予め定められた条件が成立した有形成分について、当該有形成分に関連付けられた他の有形成分に関する情報を出力する。その後、制御はステップＳ２２０へ進む。
【００９４】
図１４は、ステップＳ２１２の制御によって表示される画面の一例を示す図である。図１４の画面９５０において、枠９５１内に示されたメッセージが、上記の「他の有形成分に関する情報」の一例である。図１４を参照して、ステップＳ２１２の制御の具体例を説明する。
【００９５】
分析装置２０の記憶部２１２は、１種類以上の有形成分を他の有形成分に関連付ける情報を格納する。当該情報は、たとえば、有形成分「白血球」に、有形成分「上皮細胞」を関連付け、さらに、有形成分分析の結果について「１個／視野」以上であるという条件を関連付ける。
【００９６】
たとえば、ステップＳ２１２で、ＣＰＵ２１１は、有形成分分析において得られた結果が、記憶部２１２に格納された情報を満たすかどうかを判断する。得られた結果において有形成分「白血球」についての分析結果が「１個／視野」以上である場合、当該結果は、記憶部２１２に格納された条件を満たす。したがって、ＣＰＵ２１１は、有形成分「白血球」に関連付けられた有形成分「上皮細胞」において、図１４の枠９５１内に表示する情報を生成する。枠９５１内に表示されるメッセージは、予め記憶部２１２に格納されており、ＣＰＵ２１１は、当該格納されたメッセージを読み出すことによって枠９５１内に表示する情報を生成してもよい。
【００９７】
図１４の例では、枠９５１内のメッセージは、有形成分分析において白血球が検出されているにも拘わらず上皮細胞が検出されていないため、撮影された画像において上皮細胞を探すことを促す。記憶部２１２には、有形成分「白血球」について、他の有形成分（有形成分「上皮細胞」）の結果が「０個／視野」以下であるという条件がさらに格納されていてもよい。枠９５１は、当該さらなる条件が満たされた場合に、表示されてもよい。
【００９８】
その後、第２の実施の形態では、第１の実施の形態と同様に、表示欄９０２において表示された各種のボタンが操作されるたびに、表示欄９０１内に表示される画像が調整される。枠９５１は、画面において継続的に表示されていてもよいし、何らかのボタンが操作されたことに応じて表示を終了してもよい。
【００９９】
第２の実施の形態によれば、分析装置２０の利用者は、枠９５１として、有形成分分析における各有形成分の分析結果から想定される、他の有形成分についての情報を取得する。
【０１００】
［第３の実施の形態］
＜１．概要＞
第３の実施の形態の分析システム１では、有形成分分析における少なくとも１種類の有形成分が、他の装置における検体の測定結果の項目に関連付けられている。第３の実施の形態の分析装置２０は、有形成分分析の結果とともに、有形成分に関連付けられた他の装置における測定結果の項目に関する情報を出力する。
【０１０１】
たとえば、有形成分「赤血球」について、定性分析の測定結果の項目「尿潜血反応」が関連付けられる。分析装置２０は、有形成分分析において検体から有形成分「赤血球」が検出された場合、有形成分分析の結果とともに、定性分析の項目「尿潜血反応」についての情報を出力する。
【０１０２】
＜２．分析システムの構成＞
図１５は、第３の実施の形態の分析システムの全体構成を示す図である。第３の実施の形態の分析システム１は、画像を用いて有形成分を分析する分析装置２０に加えて、検体の定性分析を実行する分析装置１０を備える。
【０１０３】
より具体的には、図１５の分析システム１は、分析装置１０と、分析装置２０と、情報処理装置４０と、搬送装置５０とを含む。分析装置１０は、検体の定性分析を実行する。分析装置２０は、検体の画像を用いて、当該検体の有形成分分析を実行する。情報処理装置４０は、分析装置２０から出力される画像を表示し、使用者からの情報の入力を受け付ける。搬送装置５０は、分析装置１０から分析装置２０へ検体を搬送する。
【０１０４】
搬送装置５０は、ラック７（図６参照）を搬送するための溝５００を含む。分析装置１０は、各検体に付されたバーコードを読み取るためのバーコードリーダ１２４を備える。
【０１０５】
＜３．ハードウェア構成＞
図１６は、第３の実施の形態の分析システム１のハードウェア構成を説明するための図である。
【０１０６】
図１６に示さるように、第３の実施の形態の分析システム１は、図７に示された第１の実施の形態のハードウェア構成と比較して、さらに、分析装置１０および搬送装置５０を含む。
【０１０７】
分析装置１０は、制御部１１０と、通信部１２１と、第１の検出部１２２と、第２の検出部１２３と、バーコードリーダ１２４とを含む。制御部１１０は、ＣＰＵ１１１と記憶部１１２とを有する。ＣＰＵ１１１は、記憶部１１２に記憶されているコンピュータプログラムを実行すると共に、分析装置１０の各部を制御する。記憶部１１２は、ＲＯＭ、ＲＡＭ、ハードディスク等の記憶装置を含む。
【０１０８】
通信部１２１は、制御部１１０からのデータを他の機器に送信し、他の機器からの情報を制御部１１０に入力する。通信部１２１は、たとえばネットワークインタフェースカードによって実現される。
【０１０９】
第１の検出部１２２は、検体に各測定項目（潜血濃度、蛋白濃度、白血球濃度（白血球エステラーゼ反応）、亜硝酸塩濃度、及びブドウ糖濃度）のそれぞれに対応した試験紙を浸し、夫々の試験紙の変色の度合いから各測定項目について測定する。第１の検出部１２２は、制御部１１０のＣＰＵ１１１からの指示に応じて、測定を開始する。第１の検出部１２２は、潜血濃度、蛋白濃度、白血球濃度、亜硝酸塩濃度、及びブドウ糖濃度を、たとえば、それぞれの試験紙の変色度合いを（−）、（±）、（＋）、（２＋）、（３＋）、…、（７＋）の９段階に自動的に分類し、各項目の検査結果として制御部１１０へ出力する。
【０１１０】
第２の検出部１２３は、検体の屈折率を検出し、当該屈折率から検体の比重を測定する。第２の検出部１２３は、制御部１１０のＣＰＵ１１１からの指示に応じて、測定を開始する。第２の検出部１２３は、検出結果である比重を、制御部１１０へ出力する。
【０１１１】
バーコードリーダ１２４は、容器４に付されたバーコードを読み、読み出した情報を制御部２１０へ出力する。
【０１１２】
搬送装置５０は、制御部５１０と通信部５２０とを含む。制御部５１０は、ＣＰＵ５１１と、記憶部５１２と、駆動部５１３と、センサ５１４とを含む。
【０１１３】
駆動部５１３は、ラック７を搬送するために回転するモータを駆動する。
ＣＰＵ５１１は、駆動部５１３の動作を制御する。
【０１１４】
記憶部５１２は、ＣＰＵ５１１によって実行されるプログラム、および、当該プログラムの実行に利用されるデータを格納する。
【０１１５】
センサ５１４は、溝５００内の物体の有無を検出する。センサ５１４は、検出結果をＣＰＵ５１１へ出力する。センサ５１４から入力される検出結果に基づいて、ＣＰＵ５１１は、たとえば、溝５００内のどこにラック７が位置するかを特定する。
【０１１６】
ＣＰＵ２１１は、搬送装置５０を制御することにより、分析装置１０における定性分析の対象となった検体を、分析装置２０へ搬送する。
【０１１７】
図１６に示された例では、分析装置１０、分析装置２０、および、情報処理装置４０は、互いに通信可能である。搬送装置５０は、情報処理装置４０と通信可能である。当該通信の態様は、単なる一例である。分析装置２０は、情報処理装置４０を介してのみ、分析装置１０と通信してもよい。装置間の通信は、有線であってもよいし、無線であってもよい。
【０１１８】
＜４．情報出力用の処理の流れ＞
図１７は、第３の実施の形態のＣＰＵ２１１が有形成分の画像を表示するために実行する処理の一例のフローチャートである。図１７に示された処理は、図１０に示された処理と比較して、ステップＳ２１０の前にステップＳ２０２の制御をさらに含み、また、ステップＳ２１０の後にステップＳ２１４の制御をさらに含む。
【０１１９】
ステップＳ２１０の制御は、ステップＳ２２０の制御と並行して実行されてもよいし、ステップＳ２２０の制御の後に実行されてもよい。
【０１２０】
ここで、ステップＳ２１４の制御は、ステップＳ２１０の制御またはステップＳ２２０の制御と並行して実行されてもよいし、ステップＳ２１０の制御とステップＳ２２０の制御との間に実行されてもよい。
【０１２１】
さらに、ステップＳ２０２の制御は、分析装置１０における分析処理が遅れた場合などには、ステップＳ２１０、ステップＳ２１４またはステップＳ２２０のいずれかと並行して実行されてもよいし、ステップＳ２１０の制御とステップＳ２２０の制御との間に実行されてもよい。
【０１２２】
図１７の処理において、ＣＰＵ２１１は、ステップＳ２００で検体の基本データの入力を受け付けた後、ステップＳ２０２で、当該検体の定性分析の結果を取得する。ＣＰＵ２１１は、たとえば、分析装置１０に対して、ステップＳ２００で取得したバーコードに関連付けられた定性分析の結果を要求し、当該要求の応答として、上記検体の定性分析の結果を取得する。その後、制御はステップＳ２１０へ進む。
【０１２３】
ステップＳ２１０で有形成分分析の結果を表示した後、ＣＰＵ２１１は、ステップＳ２１４で、有形成分分析において検出された有形成分に関連付けられた、他の装置における測定項目に関する情報を、情報処理装置４０のモニタ４１５に表示する。その後、制御はステップＳ２２０へ進む。
【０１２４】
ステップＳ２２０で、ＣＰＵ２１１は、ステップＳ２１０の分析結果に対応する画像を、情報処理装置４０のモニタ４１５に表示する。その後、制御はステップＳ２３０へ進む。
【０１２５】
図１８は、ステップＳ２１０，ステップＳ２１４，およびステップＳ２２０の制御によって表示される画面の一例を示す図である。図１８の画面９６０において、枠９６１内に表示されたメッセージが、ステップＳ２１４において表示される、他の装置における測定項目に関する情報の一例である。
【０１２６】
分析装置２０の記憶部２１２は、１種類以上の有形成分を他の装置の測定結果の項目に関連付ける情報を格納する。当該情報は、たとえば、有形成分「赤血球」に、定性分析の項目「尿潜血反応」を関連付ける。有形成分分析において有形成分「赤血球」が検出された場合、ステップＳ２１４では、ＣＰＵ２１１は、当該「赤血球」に関連付けられた項目「尿潜血反応」に関するメッセージを、枠９６１内に表示する。枠９６１内に表示されるメッセージの内容は、ＣＰＵ２１１が有形成分分析および／または定性分析の結果に応じて生成してもよいし、予め記憶部２１２に格納されていてもよい。
【０１２７】
記憶部２１２は、さらに、定性分析の項目に関する情報を表示するか否かについての条件を記憶していてもよい。当該条件は、たとえば、有形成分分析と定性分析の双方の結果が整合しないと状態を規定する。当該条件の具体例は、有形成分「赤血球」と定性分析の項目「尿潜血反応」との組合せに対して、有形成分「赤血球」が１（個／視野）以上検出されており、かつ、定性分析の項目「尿潜血反応」の結果が（−）であることである。枠９６１内のメッセージは、このような条件が成立する場合にも対応する。すなわち、枠９６１内のメッセージは、有形成分分析における赤血球の検出が定性分析における尿潜血反応の結果と整合しないため、有形成分分析における赤血球の結果の確認を促す。
【０１２８】
第３の実施の形態における「他の装置における検体の測定結果の項目」は、定性分析の測定項目に限定されず、分析装置２０と異なる方式（たとえば、フローサイトメトリ）による有形成分分析の項目であってもよい。たとえば、ある有形成分について、分析装置２０における画像を用いた分析の結果と、他の装置におけるフローサイトメトリによる分析の結果とが異なる場合、分析装置２０は、当該有形成分についての分析結果の確認を促す情報を表示する。
【０１２９】
今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【０１３０】
１  分析システム、４  容器、７  ラック、１０，２０  分析装置、２０Ａ  本体、２０Ｂ  搬送部、４０  情報処理装置、５０  搬送装置、１１１，２１１，４１１  ＣＰＵ，９００，９１０，９２０，９３０，９４０，９５０，９６０  画面。
【図１】
0006805492.tif 000002
【図２】
0006805492.tif 000003
【図３】
0006805492.tif 000004
【図４】
0006805492.tif 000005
【図５】
0006805492.tif 000006
【図６】
0006805492.tif 000007
【図７】
0006805492.tif 000008
【図８】
0006805492.tif 000009
【図９】
0006805492.tif 000010
【図１０】
0006805492.tif 000011
【図１１】
0006805492.tif 000012
【図１２】
0006805492.tif 000013
【図１３】
0006805492.tif 000014
【図１４】
0006805492.tif 000015
【図１５】
0006805492.tif 000016
【図１６】
0006805492.tif 000017
【図１７】
0006805492.tif 000018
【図１８】
0006805492.tif 000019